(57)【要約】【課題】ノズルによる吸着信頼性を向上させた電子部品を提供する。【解決手段】チップ部品２と、金属フレーム端子３と、第１磁性構造体４と、第２磁性構造体５と、端子６とから構成される電子部品本体に、金属カバー１０は、第１−１カバー片部１０Ｂ１と図示せぬ第２−１カバー片部の第１傾斜面４Ｂ１及び図示せぬ第３傾斜面へのかしめと、第１−２カバー片部１０Ｃ１と図示せぬ第２−２カバー片部の第５傾斜面５Ｂ１及び図示せぬ第７傾斜面へのかしめと、天板１０Ａと第１−１面４Ａ及び第１−２面５Ａ、第１−１カバー片部１０Ｂ１と第１傾斜面４Ｂ１、第１−２カバー片部１０Ｃ１と第５傾斜面５Ｂ１、図示せぬ第２−１カバー片部と図示せぬ第３傾斜面、図示せぬ第２−２カバー片部と図示せぬ第７傾斜面との間に介在する熱硬化性樹脂である接着剤１１により、第１磁性構造体４及び第２磁性構造体５に固定され、電子部品本体と金属カバー１０とは一体化される。【選択図】図１
2005294641.tif 000002
【特許請求の範囲】
【請求項１】
第Ａ１辺と該第Ａ１辺に略平行に延びる第Ａ２辺とを有する第１面と、該第Ａ１辺と交差し、該第Ａ１辺において該第１面と第１角部を構成する第２面と、該第Ａ２辺と交差し該第Ａ２辺において該第１面と第２角部を構成し該第２面に対向する第３面とを有する電子部品本体と、
第Ｂ１辺と該第Ｂ１辺に略平行に延びる第Ｂ２辺とを有し、該第１面に対向する平面状の板状部材と、該第Ｂ１辺から該第２面に対向するように延びる第１カバー片部と、該第Ｂ２辺から該第３面に対向するように延びる第２カバー片部とを備え、該第１カバー片部と該第２カバー片部との間に該第２面と該第３面とを挟むカバーとを備え、
該電子部品本体と該カバーとは、該第１面と該板状部材、該第２面と該第１カバー片部、該第３面と該第２カバー片部との間に介在する接着剤により一体化されることを特徴とする電子部品。
【請求項２】
該第１角部と該第２角部とは、９０°未満に構成されることを特徴とする請求項１に記載の電子部品。
【請求項３】
該カバーは、該第１カバー片部及び該第２カバー片部の該第２面及び該第３面へのかしめにより該電子部品本体に固定されることを特徴とする請求項２に記載の電子部品。
【請求項４】
該電子部品本体は、該第Ａ１辺と該Ａ２辺との一端側において、該第１面と該第２面と該第３面とに交差する第４面と、該第Ａ１辺と該Ａ２辺との他端側において、該第１面と該第２面と該第３面とに交差する第５面とを更に有し、
該カバーは、該カバーの該第Ｂ１辺と該Ｂ２辺との一端側において、該第４面に対向する第１ずれ防止片と、該第Ｂ１辺と該Ｂ２辺との他端側において、該第５面に対向する第２ずれ防止片とを更に備え、該第１ずれ防止片と該第２ずれ防止片とによって該第４面と該第５面とを挟むことを特徴とする請求項１に記載の電子部品。
【請求項５】
該電子部品本体は、該第Ａ１辺と該第Ａ２辺との一端側において、該第１面と該第２面と該第３面とに交差する第４面と、該第Ａ１辺と該第Ａ２辺との他端側において、該第１面と該第２面と該第３面とに交差する第５面とを更に有し、
該電子部品本体は、該第１面の一部と該第２面の一部と該第３面の一部と該第４面の一部とを構成する第１磁性構造体と、該第１磁性構造体に対向し該第１面の残部の一部と該第２面の残部の一部と該第３面の残部の一部と該第５面の一部とを構成する第２磁性構造体とを備えることを特徴とする請求項１に記載の電子部品。
【請求項６】
該第１磁性構造体は、該第１面と該第２面と該第３面とに交差し、かつ該第４面に対向する第６面を有し、
該第２磁性構造体は、該第１面と該第２面と該第３面とに交差し、かつ該第５面と該第６面とに対向する第７面を有し、
該カバーは、該第４面又は該第６面のいずれか一方に対向する第３ずれ防止片と、該第５面又は該第７面のいずれか一方に対向する第４ずれ防止片とを有することを特徴とする請求項５に記載の電子部品。
【請求項７】
該第１カバー片部は、該第２面の該第１磁性構造体側に位置する第１−１カバー片部と、該第２面の該第２磁性構造体側に位置する第１−２カバー片部とに分割して構成され、
該第２カバー片部は、該第３面の該第１磁性構造体側に位置する第２−１カバー片部と、該第３面の該第２磁性構造体側に位置する第２−２カバー片部とに分割して構成され、
該第３ずれ防止片は、該第１−１カバー片部から該第６面に対向するように延設される第３−１ずれ防止片と、該第２−１カバー片部から該第６面に対向するように延設される第３−２ずれ防止片とに分割して構成され、
該第４ずれ防止片は、該第１−２カバー片部から該第７面に対向するように延設される第４−１ずれ防止片と、該第２−２カバー片部から該第７面側に対向するように延設される第４−２ずれ防止片とに分割して構成されことを特徴とする請求項６に記載の電子部品。
【請求項８】
該板状部材と該第１−１カバー片部との間、該板状部材と該第１−２カバー片部との間、該板状部材と該第２−１カバー片部との間、該板状部材と該第２−２カバー片部との間には、隙間が提供されていることを特徴とする請求項７に記載の電子部品。
【請求項９】
該電子部品本体は、第Ｃ１辺と該Ｃ１辺に略平行に延びる第Ｃ２辺とを備え第１面に対向する第８面と、
該Ｃ１辺に略平行な第Ｄ１辺と該第Ｄ１辺に略平行に延びる第Ｄ２辺とを有し該第８面に対向する板部と、該第Ｄ１辺から該第２面に対向するように延び、該第１磁性構造体側に位置する第１−１端子片部と、該第Ｄ１辺から該第２面に対向するように延び、該第２磁性構造体側に位置する第１−２端子片部と、該第Ｄ２辺から該第３面に対向するように延び、該第１磁性構造体側に位置する第２−１端子片部と、該第Ｄ２辺から該第３面に対向するように延び、該第２磁性構造体側に位置する第２−２端子片部と、該第１−１端子片部から該第６面に対向するように延設される第５−１ずれ防止片と、該第２−１端子片部から該第６面に対向するように延設される第５−２ずれ防止片と、該第１−２端子片部から該第７面に対向するように延設される第６−１ずれ防止片と、該第２−２端子片部から該第７面に対向するように延設される第６−２ずれ防止片とを備え、該第１−１端子片部と該第２−１端子片部との間に該第２面と該第３面とを挟み、該第１−２端子片部と該第２−２端子片部との間に該第２面と該第３面とを挟む端子と、
両端部に外部電極を有し、該第１磁性構造体と該第２磁性構造体との間に配置されるチップ部品と、
該第１磁性構造体と該第２磁性構造体と該チップ部品とを一体的に保持する金属フレーム端子とを更に有し、
該チップ部品の一端の外部電極は、該金属フレーム端子にはんだにより接合され、該チップ部品の他端の外部電極は、該端子にはんだにより接合され、
該第Ｃ１辺において該第８面と該第２面とは、角度が９０°未満である第３角部を構成し、該第Ｃ２辺において該第８面と該第３面とは、角度が９０°未満である第４角部を構成し、
該端子は、該第１−１端子片部と該第１−２端子片部と該第２−１端子片部と該第２−２端子片部との該第２面及び該第３面へのかしめにより該第１磁性構造体及び該第２磁性構造体に固定されることを特徴とする請求項８に記載の電子部品。
【請求項１０】
該電子部品本体は、第Ｃ１辺と該Ｃ１辺に略平行に延びる第Ｃ２辺とを備え第１面に対向する第８面と、
該第Ｃ１辺に略平行な第Ｄ１辺と該第Ｄ１辺に略平行に延びる第Ｄ２辺とを有し、該第８面に対向する板部と、該第Ｄ１辺から該第２面に対向するように延びる第１端子片部と、該第Ｄ２辺から該第３面に対向するように延びる第２端子片部とを備え、該第１端子片部と該第２端子片部との間に該第２面と該第３面とを挟む端子とを更に有し、
該第Ｃ１辺において該第８面と該第２面とは、角度が９０°未満である第３角部を構成し、該第Ｃ２辺において該第８面と該第３面とは、角度が９０°未満である第４角部を構成し、
該端子は、該第１端子片部及び該第２端子片部の該第２面及び該第３面へのかしめにより該第１磁性構造体及び該第２磁性構造体固定にされることを特徴とする請求項５に記載の電子部品。
【請求項１１】
該第１磁性構造体は、該第１面と該第２面と該第３面とに交差し、かつ該第４面に対向する第６面を有し、
該第２磁性構造体は、該第１面と該第２面と該第３面とに交差し、かつ該第５面に対向する第７面を有し、
該端子は、該第６面に対向する第５ずれ防止片と、該第７面に対向する第６ずれ防止片とを有することを特徴とする請求項１０に記載の電子部品。
【請求項１２】
該第１端子片部は、該第２面の該第１磁性構造体側に位置する第１−１端子片部と、該第２面の該第２磁性構造体側に位置する第１−２端子片部とに分割して構成され、
該第２端子片部は、該第３面の該第１磁性構造体側に位置する第２−１端子片部と、該第３面の該第２磁性構造体側に位置する第２−２端子片部とに分割して構成され、
該第５ずれ防止片は、該第１−１端子片部から該第６面に対向するように延設される第５−１ずれ防止片と、該第２−１端子片部から該第６面に対向するように延設される第５−２ずれ防止片とに分割して構成され、
該第６ずれ防止片は、該第１−２端子片部から該第７面に対向するように延設される第６−１ずれ防止片と、該第２−２端子片部から該第７面に対向するように延設される第６−２ずれ防止片とに分割して構成されることを特徴とする請求項１１に記載の電子部品。
【請求項１３】
該板状部材と該第１カバー片部との間又は該板状部材と該第２カバー片部との間の少なくとも一方には、隙間又はスリットのいずれか一方が提供されていることを特徴とする請求項１に記載の電子部品。
【請求項１４】
両端部に外部電極を有するチップ部品と、
該チップ部品の外部電極が対向する方向に直交する方向において、該チップ部品を挟むように配置される一対の磁性構造体と、
該チップ部品と、該一対の磁性構造体とを一体的に保持し、該チップ部品の一端の該外部電極とはんだにより接合される金属フレーム端子と、
該チップ部品の他端の該外部電極とはんだにより接合される端子とを有する電子部品本体と、
該電子部品本体と接着剤により一体化される金属カバーとを備える電子部品の製造方法であって、
該はんだによる接合と、該接着剤による接着とを恒温槽において同時に行うことを特徴とする電子部品の製造方法。
【発明の詳細な説明】
【技術分野】
【０００１】
本発明は、金属カバーを有する電子部品に関する。
【背景技術】
【０００２】
従来から、表面実装が可能な電子部品の様々な形状が提案されている。例えば、チップコンデンサを金属フレーム端子で保有し、貫通穴を有する一対の磁性構造体によって、チップコンデンサを挟みつつ金属フレーム端子の一対の貫通部を各貫通穴に貫通させて、金属フレーム端子の一対の外縁部をそれぞれ磁性構造体に沿わせて表面実装可能な電子部品が提案されている（例えば、特許文献１参照）。
【０００３】
また、一対の腕部と一対の貫通穴を有する基部とからなるＵ字状の磁性構造体の一対の腕部間にチップコンデンサを配置し、チップコンデンサの一方の電極に金属フレーム端子の一端を固定し、金属フレーム端子の一対の貫通部を各貫通穴に貫通させて表面実装可能な電子部品を提案しているものもある（例えば、特許文献２参照）。
【０００４】
【特許文献１】実開平４−４６７１６号公報
【特許文献２】実開平１−８６７１５号公報
【発明の開示】
【発明が解決しようとする課題】
【０００５】
しかし、従来の電子部品では、回路基板へ実装するためにノズルの端面を電子部品の一側面（吸着面）に当接させて、負圧吸引により電子部品を搬送するとき、吸着面の凹凸により、負圧吸引が不完全となって電子部品の落下や吸着エラーが生じ、ノズルによる磁性構造体の破壊を引起す可能性があった。
【０００６】
そこで、本発明は、ノズルによる吸着信頼性を向上させた電子部品を提供することを目的とする。
【課題を解決するための手段】
【０００７】
上記目的を達成するために、本発明は、第Ａ１辺と該第Ａ１辺に略平行に延びる第Ａ２辺とを有する第１面と、該第Ａ１辺と交差し、該第Ａ１辺において該第１面と第１角部を構成する第２面と、該第Ａ２辺と交差し該第Ａ２辺において該第１面と第２角部を構成し該第２面に対向する第３面とを有する電子部品本体と、第Ｂ１辺と該第Ｂ１辺に略平行に延びる第Ｂ２辺とを有し、該第１面に対向する平面状の板状部材と、該第Ｂ１辺から該第２面に対向するように延びる第１カバー片部と、該第Ｂ２辺から該第３面に対向するように延びる第２カバー片部とを備え、該第１カバー片部と該第２カバー片部との間に該第２面と該第３面とを挟むカバーとを備え、該電子部品本体と該カバーとは、該第１面と該板状部材、該第２面と該第１カバー片部、該第３面と該第２カバー片部との間に介在する接着剤により一体化される電子部品を提供している。
【０００８】
ここで、該第１角部と該第２角部とは、９０°未満に構成されることが好ましい。
【０００９】
更に、該カバーは、該第１カバー片部及び該第２カバー片部の該第２面及び該第３面へのかしめにより該電子部品本体に固定されることが好ましい。
【００１０】
また、該電子部品本体は、該第Ａ１辺と該Ａ２辺との一端側において、該第１面と該第２面と該第３面とに交差する第４面と、該第Ａ１辺と該Ａ２辺との他端側において、該第１面と該第２面と該第３面とに交差する第５面とを更に有し、該カバーは、該カバーの該第Ｂ１辺と該Ｂ２辺との一端側において、該第４面に対向する第１ずれ防止片と、該第Ｂ１辺と該Ｂ２辺との他端側において、該第５面に対向する第２ずれ防止片とを更に備え、該第１ずれ防止片と該第２ずれ防止片とによって該第４面と該第５面とを挟むことが好ましい。
【００１１】
また、該電子部品本体は、該第Ａ１辺と該第Ａ２辺との一端側において、該第１面と該第２面と該第３面とに交差する第４面と、該第Ａ１辺と該第Ａ２辺との他端側において、該第１面と該第２面と該第３面とに交差する第５面とを更に有し、該電子部品本体は、該第１面の一部と該第２面の一部と該第３面の一部と該第４面の一部とを構成する第１磁性構造体と、該第１磁性構造体に対向し該第１面の残部の一部と該第２面の残部の一部と該第３面の残部の一部と該第５面の一部とを構成する第２磁性構造体とを備えることが好ましい。
【００１２】
ここで、該第１磁性構造体は、該第１面と該第２面と該第３面とに交差し、かつ該第４面に対向する第６面を有し、該第２磁性構造体は、該第１面と該第２面と該第３面とに交差し、かつ該第５面と該第６面とに対向する第７面を有し、該カバーは、該第４面又は該第６面のいずれか一方に対向する第３ずれ防止片と、該第５面又は該第７面のいずれか一方に対向する第４ずれ防止片とを有することが好ましい。
【００１３】
そして、該第１カバー片部は、該第２面の該第１磁性構造体側に位置する第１−１カバー片部と、該第２面の該第２磁性構造体側に位置する第１−２カバー片部とに分割して構成され、該第２カバー片部は、該第３面の該第１磁性構造体側に位置する第２−１カバー片部と、該第３面の該第２磁性構造体側に位置する第２−２カバー片部とに分割して構成され、該第３ずれ防止片は、該第１−１カバー片部から該第６面に対向するように延設される第３−１ずれ防止片と、該第２−１カバー片部から該第６面に対向するように延設される第３−２ずれ防止片とに分割して構成され、該第４ずれ防止片は、該第１−２カバー片部から該第７面に対向するように延設される第４−１ずれ防止片と、該第２−２カバー片部から該第７面側に対向するように延設される第４−２ずれ防止片とに分割して構成されことが好ましい。
【００１４】
更に、該板状部材と該第１−１カバー片部との間、該板状部材と該第１−２カバー片部との間、該板状部材と該第２−１カバー片部との間、該板状部材と該第２−２カバー片部との間には、隙間が提供されていることが好ましい。
【００１５】
また、該電子部品本体は、第Ｃ１辺と該Ｃ１辺に略平行に延びる第Ｃ２辺とを備え第１面に対向する第８面と、該Ｃ１辺に略平行な第Ｄ１辺と該第Ｄ１辺に略平行に延びる第Ｄ２辺とを有し該第８面に対向する板部と、該第Ｄ１辺から該第２面に対向するように延び、該第１磁性構造体側に位置する第１−１端子片部と、該第Ｄ１辺から該第２面に対向するように延び、該第２磁性構造体側に位置する第１−２端子片部と、該第Ｄ２辺から該第３面に対向するように延び、該第１磁性構造体側に位置する第２−１端子片部と、該第Ｄ２辺から該第３面に対向するように延び、該第２磁性構造体側に位置する第２−２端子片部と、該第１−１端子片部から該第６面に対向するように延設される第５−１ずれ防止片と、該第２−１端子片部から該第６面に対向するように延設される第５−２ずれ防止片と、該第１−２端子片部から該第７面に対向するように延設される第６−１ずれ防止片と、該第２−２端子片部から該第７面に対向するように延設される第６−２ずれ防止片とを備え、該第１−１端子片部と該第２−１端子片部との間に該第２面と該第３面とを挟み、該第１−２端子片部と該第２−２端子片部との間に該第２面と該第３面とを挟む端子と、両端部に外部電極を有し、該第１磁性構造体と該第２磁性構造体との間に配置されるチップ部品と、該第１磁性構造体と該第２磁性構造体と該チップ部品とを一体的に保持する金属フレーム端子とを更に有し、該チップ部品の一端の外部電極は、該金属フレーム端子にはんだにより接合され、該チップ部品の他端の外部電極は、該端子にはんだにより接合され、該第Ｃ１辺において該第８面と該第２面とは、角度が９０°未満である第３角部を構成し、該第Ｃ２辺において該第８面と該第３面とは、角度が９０°未満である第４角部を構成し、該端子は、該第１−１端子片部と該第１−２端子片部と該第２−１端子片部と該第２−２端子片部との該第２面及び該第３面へのかしめにより該第１磁性構造体及び該第２磁性構造体に固定されることが好ましい。
【００１６】
また、該電子部品本体は、第Ｃ１辺と該Ｃ１辺に略平行に延びる第Ｃ２辺とを備え第１面に対向する第８面と、該第Ｃ１辺に略平行な第Ｄ１辺と該第Ｄ１辺に略平行に延びる第Ｄ２辺とを有し、該第８面に対向する板部と、該第Ｄ１辺から該第２面に対向するように延びる第１端子片部と、該第Ｄ２辺から該第３面に対向するように延びる第２端子片部とを備え、該第１端子片部と該第２端子片部との間に該第２面と該第３面とを挟む端子とを更に有し、該第Ｃ１辺において該第８面と該第２面とは、角度が９０°未満である第３角部を構成し、該第Ｃ２辺において該第８面と該第３面とは、角度が９０°未満である第４角部を構成し、該端子は、該第１端子片部及び該第２端子片部の該第２面及び該第３面へのかしめにより該第１磁性構造体及び該第２磁性構造体固定が好ましい。
【００１７】
ここで、該第１磁性構造体は、該第１面と該第２面と該第３面とに交差し、かつ該第４面に対向する第６面を有し、該第２磁性構造体は、該第１面と該第２面と該第３面とに交差し、かつ該第５面に対向する第７面を有し、該端子は、該第６面に対向する第５ずれ防止片と、該第７面に対向する第６ずれ防止片とを有することが好ましい。
【００１８】
また、該第１端子片部は、該第２面の該第１磁性構造体側に位置する第１−１端子片部と、該第２面の該第２磁性構造体側に位置する第１−２端子片部とに分割して構成され、該第２端子片部は、該第３面の該第１磁性構造体側に位置する第２−１端子片部と、該第３面の該第２磁性構造体側に位置する第２−２端子片部とに分割して構成され、該第５ずれ防止片は、該第１−１端子片部から該第６面に対向するように延設される第５−１ずれ防止片と、該第２−１端子片部から該第６面に対向するように延設される第５−２ずれ防止片とに分割して構成され、該第６ずれ防止片は、該第１−２端子片部から該第７面に対向するように延設される第６−１ずれ防止片と、該第２−２端子片部から該第７面に対向するように延設される第６−２ずれ防止片とに分割して構成されることが好ましい。
【００１９】
更に、該板状部材と該第１カバー片部との間又は該板状部材と該第２カバー片部との間の少なくとも一方には、隙間又はスリットのいずれか一方が提供されていることが好ましい。
【００２０】
また、本発明は、両端部に外部電極を有するチップ部品と、該チップ部品の外部電極が対向する方向に直交する方向において、該チップ部品を挟むように配置される一対の磁性構造体と、該チップ部品と、該一対の磁性構造体とを一体的に保持し、該チップ部品の一端の該外部電極とはんだにより接合される金属フレーム端子と、該チップ部品の他端の該外部電極とはんだにより接合される端子とを有する電子部品本体と、該電子部品本体と接着剤により一体化される金属カバーとを備える電子部品の製造方法であって、該はんだによる接合と、該接着剤による接着とを恒温槽において同時に行う電子部品の製造方法を提供している。
【発明の効果】
【００２１】
請求項１に記載の電子部品によれば、電子部品本体と板状部材を有するカバーとを備え、電子部品本体とカバーとは、第１面と板状部材、第２面と第１カバー片部、第３面と第２カバー片部との間に介在する接着剤により一体化されるので、カバーと電子部品本体との接着剤による接着面積を増加させ、接着強度を向上させることができる。このとき、ノズルの吸着面となる板状部材が平面状であるので、電子部品をノズルにより回路基板へ実装する時の吸着信頼性を向上させることができる。更に、カバーを設けることによって、ノズルによる電子部品本体の破壊を防止することができる。
【００２２】
請求項２及び３に記載の電子部品によれば、第１角部と第２角部とは、９０°未満に構成され、カバーは、第１カバー片部及び第２カバー片部の第２面及び第３面へのかしめにより電子部品本体に固定されるので、カバーを電子部品本体へ強固に固定することができる。更に、カバーが接着剤から剥がれたとしても  接着剤のカバーへの接着強度が劣化したとしても  、接着剤が各カバー片部と各面との間に介在しているので、カバーの電子部品本体から離間する方向への移動を物理的に規制することができる。また、接着剤の部品本体への接着強度が劣化したとしても、接着剤は、第１及び第２角部と、第２面及び第３面とに沿って硬化しているので、電子部品本体に嵌合する形となり、電子部品本体から剥離しない。従って、接着剤が各カバー片部と各面との間に介在することとなるので、カバーの電子部品本体から離間する方向への移動を物理的に規制することができる。
【００２３】
請求項４に記載の電子部品によれば、第１ずれ防止片を第４面に対向させ、第２ずれ防止片を第５面に対向させているので、振動により電子部品本体からカバーがずれるのを防止することができる。
【００２４】
請求項５に記載の電子部品によれば、電子部品本体と板状部材を有するカバーとを備え、電子部品本体とカバーとは、第１面をなす第１磁性構造体及び第２磁性構造体と板状部材、第２面をなす第１磁性構造体及び第２磁性構造体と第１カバー片部、第３面をなす第１磁性構造体及び第２磁性構造体と第２カバー片部との間に介在する接着剤により一体化されるので、カバーと電子部品本体との接着剤による接着面積を増加させ、接着強度を向上させることができる。このとき、ノズルの吸着面となる板状部材が平面状であるので、電子部品をノズルにより回路基板へ実装する時の吸着信頼性を向上させることができる。更に、カバーを設けることによって、ノズルによる第１磁性構造体及び第２磁性構造体の破壊を防止することができる。
【００２５】
請求項６に記載の電子部品によれば、カバーは、第４面又は第６面のいずれか一方に対向する第３ずれ防止片と、第５面又は第７面のいずれか一方に対向する第４ずれ防止片とを有しているので、振動により電子部品本体からカバーがずれるのを防止することができる。
【００２６】
請求項７に記載の電子部品によれば、第６面に対向する第３−１ずれ防止片と、第６面に対向する第３−２すれ防止片と、第７面に対向する第４−１ずれ防止片と、第７面側に対向する第４−２ずれ防止片とを有するので、振動により電子部品本体からカバーがずれるのを防止することができる。
【００２７】
請求項８に記載の電子部品によれば、板状部材と各カバー片部との間に隙間が提供されているので、接着剤が隙間に流れ込み硬化する。従って、接着剤のカバーへの接着剤強度が劣化したとしても、カバーの電子部品本体から離間する方向への移動を物理的に規制することができる。
【００２８】
請求項９に記載の電子部品によれば、端子は、第６面に対向する第５−１ずれ防止片と、第６面に対向する第５−２ずれ防止片と、第７面に対向する第６−１ずれ防止片と、第７面に対向する第６−２ずれ防止片とを有し、更に第１−１端子片部と第１−２端子片部と第２−１端子片部と第２−２端子片部との第２面及び第３面へのかしめにより第１磁性構造体及び第２磁性構造体に固定されるので、電子部品本体の組立工程中の取り扱いを容易にすることができる。更に、チップ部品の回路基板に対向する側に端子を設けることによって、チップ部品が回路基板に直接接触することによる破壊を防止することができる。
【００２９】
請求項１０に記載の電子部品によれば、端子は、第１端子片部及び第２端子片部の第２面及び第３面へのかしめにより第１磁性構造体及び第２磁性構造体固定にされるので、電子部品本体の組立工程中の取り扱いを容易にすることができる。更に、チップ部品の回路基板に対向する側に端子を設けることによって、チップ部品が回路基板に直接接触することによる破壊を防止することができる。
【００３０】
請求項１１に記載の電子部品によれば、端子は、第６面に対向する第５ずれ防止片と、第７面に対向する第６ずれ防止片とを有するので、電子部品本体の組立工程中の取り扱いを更に容易にすることができる。
【００３１】
請求項１２に記載の電子部品によれば、第６面に対向する第５−１ずれ防止片と、第６面に対向する第５−２ずれ防止片と、第７面に対向する第６−１ずれ防止片と、第７面に対向する第６−２ずれ防止片とを有するので、電子部品本体の組立工程中の取り扱いを更に容易にすることができる。
【００３２】
請求項１３に記載の電子部品によれば、板状部材と第１カバー片部との間又は板状部材と第２カバー片部との間の少なくとも一方には、隙間又はスリットのいずれか一方が提供されているので、接着剤が隙間又はスリット流れ込み硬化する。従って、接着剤のカバーへの接着強度が劣化したとしても、カバーの電子部品本体からの離間に対して、接着剤がアンカーとして作用するので、カバーと電子部品本体とは離間しない。
【００３３】
請求項１４に記載の電子部品によれば、はんだによる接合と、接着剤による接着とを恒温槽において同時に行うので、生産時間及びコストを減少させることができる。
【発明を実施するための最良の形態】
【００３４】
本発明による電子部品をノイズフィルタに適用した実施の形態について図１乃至図３に基づき説明する。図１は、ノイズフィルタ１の斜視図、図２は、ノイズフィルタ１の分解斜視図、図３は、ノイズフィルタ１を図１の斜視側と反対側から見た斜視図である。図１、２に示すように、ノイズフィルタ１は、チップ部品２と、金属フレーム端子３と、第１磁性構造体４と、第２磁性構造体５と、端子６とから構成される電子部品本体と、金属製の金属カバー１０とから構成される。第１磁性構造体４及び第２磁性構造体５は、フェライト又は複合フェライト等により構成される。
【００３５】
チップ部品２は、略直方体の形状をなしその長手方向両端部に外部電極２Ａ、２Ｂを有する容量性素子である。金属フレーム端子３は、チップ部品保有部３Ａを有し、チップ部品保有部３Ａは、略矩形状の基部３Ａ１と、基部３Ａ１の互いに対向する２辺から略垂直に延びる一対の腕部３Ａ２と、基部３Ａ１の別の互いに対向する２辺から略垂直に延び、当該２辺の対向する方向へのチップ部品２の移動を規制する一対の第１押さえ片３Ａ３とから構成される。一対の腕部３Ａ２の端部には、腕部３Ａ２に直交し、かつ一対の腕部３Ａ２が対向する方向に延び、後述する第１磁性構造体４の第１貫通穴４ａ及び第２磁性構造体５の第２貫通穴５ａに貫通する貫通部３Ｂがそれぞれ延設されている。各貫通部３Ｂの一端からは、外縁部３Ｃがそれぞれ第１磁性構造体４及び第２磁性構造体５に沿うように延設されている。そして、外部電極２Ａと基部３Ａ１とは、はんだにより接合される。
【００３６】
第１磁性構造体４は、第１−１面４Ａと、第２−１面４Ｂと、第３−１面４Ｃ（図３）と、第４面４Ｄと、第５面４Ｅ（図３）と、第６−１面４Ｆ（図３）とにより構成される。第１−１面４Ａは、第ａ１辺（請求項の第Ａ１辺に対応）と第ａ１辺に略平行に延びる第ａ２辺（請求項の第Ａ２辺に対応）とを有し、第２−１面４Ｂは、第ａ１辺と交差し第ａ１辺において第１角部θ１を構成する第１傾斜面４Ｂ１と、第１中央面４Ｂ２と、第１傾斜面４Ｂ１と逆方向に傾斜する第２傾斜面４Ｂ３とにより構成される。また、第１角部θ１は９０°未満に構成される。第３−１面４Ｃは、第２−１面４Ｂに対向し、かつ第２−１面４Ｂと同様の構造をしており、第ａ２辺と交差し第ａ２辺において第２角部θ２を構成する図示せぬ第３傾斜面と、第２中央面４Ｃ２と、第４傾斜面４Ｃ３とにより構成される。また、第２角部θ２は９０°未満に構成される。
【００３７】
第４面４Ｄは、第１−１面４Ａと第２−１面４Ｂと第３−１面４Ｃとに交差しており、第５面４Ｅは、第１−１面４Ａと第２−１面４Ｂと第３−１面４Ｃとに交差し、第４面４Ｄに対向し、かつ略平行である。そして、第４面４Ｄ及び第５面４Ｅの略中央には、第４面４Ｄから第５面４Ｅへ貫通する第１貫通穴４ａが形成されており、金属フレーム端子３の貫通部３Ｂが貫通している。第６−１面４Ｆは、第１−１面４Ａに対向し、かつ第ａ３辺（請求項の第Ｃ１辺に対応）と第ａ３辺に略平行に延びる第ａ４辺（図３）（請求項の第Ｃ２辺に対応）とを有し、第ａ３辺において、第６−１面４Ｆと第２−１面４Ｂとは、角度が９０°未満である第３角部θ３を構成し、第ａ４辺において、第６−１面４Ｆと第３−１面４Ｃとは、角度が９０°未満である第４角部θ４を構成している。
【００３８】
第２磁性構造体５は、第１−２面５Ａと、第２−２面５Ｂと、第３−２面５Ｃ（図３）と、第７面５Ｄと、第８面５Ｅ（図３）と、第６−２面５Ｆ（図３）とにより構成される。第１−２面５Ａは、第ｂ１辺（請求項の第Ａ１辺に対応）と第ｂ１辺に略平行に延びる第ｂ２辺（請求項の第Ａ２辺に対応）とを有し、第１−１面４Ａと略同一平面上に規定されている。また、第ｂ１辺は、第ａ１辺と略同一直線上に、第ｂ２辺は、第ａ２辺と同一直線上に規定されている。
【００３９】
第２−２面５Ｂは、第ｂ１辺と交差し第ｂ１辺において第５角部θ５を構成する第５傾斜面５Ｂ１と、第２中央面５Ｂ２と、第５傾斜面５Ｂ１と逆方向に傾斜する第６傾斜面５Ｂ３とより構成される。また、第２−２面５Ｂは、第２−１面４Ｂと略同一平面上に規定されており、第５角部θ５は９０°未満に構成される。第３−２面５Ｃは、第２−２面５Ｂに対向し、かつ第２−２面５Ｂと同様の構造をしており、第ｂ２辺と交差し第ｂ２辺において第６角部θ６を構成する第７傾斜面５Ｃ１と、第４中央面５Ｃ２と、第８傾斜面５Ｃ３とにより構成される。また、第３−２面５Ｃは、第３−１面４Ｃと略同一平面上に規定されており、第６角部θ６は９０°未満に構成される。
【００４０】
第７面５Ｄは、第１−２面５Ａと第２−２面５Ｂと第３−２面５Ｃとに交差しており、第８面５Ｅは、第１−２面５Ａと第２−２面５Ｂと第３−２面５Ｃとに交差し、第７面５Ｄに対向している。そして、第７面５Ｄ及び第８面５Ｅの略中央には、第７面５Ｄから第８面５Ｅへ貫通する第２貫通穴５ａが形成されており、金属フレーム端子３の貫通部３Ｂが貫通している。
【００４１】
第６−２面５Ｆは、第１−２面５Ａに対向し、かつ第ｂ３辺（請求項の第Ｃ１辺に対応）と第ｂ３辺に略平行に延びる第ｂ４辺（請求項の第Ｃ２辺に対応）とを有し、第６−１面４Ｆと略同一平面上に規定されている。また、第ｂ３辺は、第ａ３辺と略同一直線上に、第ｂ４辺は、第ａ４辺と略同一直線上に規定されている。第ｂ３辺において、第６−２面５Ｆと第２−２面５Ｂとは、角度が９０°未満である第７角部θ７を構成し、第ｂ４辺において、第６−２面５Ｆと第３−２面５Ｃとは、角度が９０°で未満である第８角部θ８を構成している。
【００４２】
端子６は、第ａ３辺及び第ｂ３辺に略平行な第ｃ１辺（請求項の第Ｄ１辺に対応）と第ｃ１辺に略平行に延びる第ｃ２辺（請求項の第Ｄ２辺に対応）とを有し、第６−１面４Ｆ、第６−２面５Ｆ及び外部電極２Ｂに対向する板部６Ａを有している。端子６は、更に一方の第ｃ１辺から第２傾斜面４Ｂ３に対向するように延びる第１−１端子片部６Ｂ１と、他方の第ｃ１辺から第６傾斜面５Ｂ３に対向するように延びる第１−２端子片部６Ｃ１と、一方の第ｃ２辺から第４傾斜面４Ｃ３に対向するように延びる第２−１端子片部６Ｄ１と、他方の第ｃ２辺から第８傾斜面５Ｃ３に対向するように延びる第２−２端子片部６Ｅ１とを有している。
【００４３】
そして、第１−１端子片部６Ｂ１から第５面４Ｅに対向するように第１ａずれ防止片６Ｂ２（請求項の第５−１ずれ防止片に相当）が延設され、第１−２端子片部６Ｃ１から第７面５Ｄに対向するように第１ｂずれ防止片（請求項の第５−２ずれ防止片に相当）６Ｃ２が延設され、第２−１端子片部６Ｄ１から第５面４Ｅに対向するように第２ａずれ防止片６Ｄ２（請求項の第６−１ずれ防止片に相当）が延設され、第２−２端子片部６Ｅ１から第７面５Ｄに対向するように第２ｂずれ防止片６Ｅ２（請求項の第６−２ずれ防止片に相当）が延設されている。
【００４４】
また、板部６Ａの第１−１端子片部６Ｂ１と第１−２端子片部６Ｃ１との略中央、及び第２−１端子片部６Ｄ１と第２−２端子片部６Ｅ１との略中央には、第１−１端子片部６Ｂ１及び第２−１端子片部６Ｄ１が対向する方向へのチップ部品２の移動を規制する一対の第２押さえ片６Ｆが、それぞれチップ部品２に対向するように設けられている。そして、端子６は、第１−１端子片部６Ｂ１と第２−１端子片部６Ｄ１との第２傾斜面４Ｂ３及び第４傾斜面４Ｃ３へのかしめと、第１−２端子片部６Ｃ１と第２−２端子片部６Ｅ１との第６傾斜面５Ｂ３及び第８傾斜面５Ｃ３へのかしめにより、第１磁性構造体４及び第２磁性構造体５に固定される。また、外部電極２Ｂと板部６Ａとは、はんだにより接合される。
【００４５】
金属カバー１０は、第ａ１辺に略平行に延びる第ｄ１辺（請求項の第Ｂ１辺に対応）と第ｄ１辺に略平行に延びる第ｄ２辺とを有し、基部３Ａ１と第１−１面４Ａと第１−２面５Ａとに対向する平面状の板状部材１０Ａを有している。尚、板状部材１０Ａは、ノイズフィルタ１を回路基板上へ実装する時のノズルの吸着面として機能し、また板状部材にノイズフィルタ１の型番等を印刷等することにより、ノイズフィルタ１の型番等の識別表示部しても機能する。第ｄ１辺と第ｄ２辺と間の距離は、第１−１面４Ａの第ａ１辺と第ａ２辺との間の距離、第１−２面５Ａの第ｂ１辺と第ｂ２辺との間の距離よりも僅かに長く構成される。
【００４６】
金属カバー１０は、更に第ｄ１辺の第１磁性構造体４側から第１傾斜面４Ｂ１に対向するように延びる第１−１カバー片部１０Ｂ１と、第ｄ１辺の第２磁性構造体５側から第５傾斜面５Ｂ１に対向するように延びる第１−２カバー片部１０Ｃ１と、第ｄ２辺の第１磁性構造体４側から図示せぬ第３傾斜面に対向するように延びる第２−１カバー片部１０Ｄ１と、第ｄ２辺の第２磁性構造体５側から第７傾斜面５Ｃ１に対向するように延びる第２−２カバー片部１０Ｅ１（図３）とを有している。
【００４７】
また、板状部材１０Ａと第１−１カバー片部１０Ｂ１との間、板状部材１０Ａと第１−２カバー片部１０Ｃ１との間、板状部材１０Ａと第２−１カバー片部１０Ｄ１との間、板状部材１０Ａと図示せぬ第２−２カバー片部との間には、それぞれ隙間１０ａが形成されている。
【００４８】
そして、第１−１カバー片部１０Ｂ１から第５面４Ｅに対向するように第３ａずれ防止片１０Ｂ２（請求項の第３−１ずれ防止片に相当）が延設され、第１−２カバー片部１０Ｃ１から第７面５Ｄに対向するように第３ｂずれ防止片１０Ｃ２（請求項の第３−１ずれ防止片に相当）が延設され、第２−１カバー片部１０Ｄ１から第５面４Ｅに対向するように第３ｃずれ防止片１０Ｄ２（図３）（請求項の第４−１ずれ防止片に相当）が延設され、第２−２カバー片部１０Ｅ１から第７面５Ｃに対向するように第３ｄずれ防止片１０Ｅ２（図１）（請求項の第４−２ずれ防止片に相当）が延設されている。
【００４９】
金属カバー１０は、第１−１カバー片部１０Ｂ１と第２−１カバー片部１０Ｄ２の第１傾斜面４Ｂ１及び図示せぬ第３傾斜面へのかしめと、第１−２カバー片部１０Ｃ１と第２−２カバー片部１０Ｅ１の第５傾斜面５Ｂ１及び第７傾斜面５Ｃ１へのかしめにより、第１磁性構造体４及び第２磁性構造体５に固定される。更に、板状部材１０Ａと第１−１面４Ａ、板状部材１０Ａと第１−２面５Ａ、第１−１カバー片部１０Ｂ１と第１傾斜面４Ｂ１、第１−２カバー片部１０Ｃ１と第５傾斜面５Ｂ１、第２−１カバー片部１０Ｄ１と図示せぬ第３傾斜面、第２−２カバー片部１０Ｅ１と第７傾斜面５Ｃ１との間に介在する熱硬化性樹脂である接着剤１１により、電子部品本体と金属カバー１０とは一体化される。
【００５０】
以上説明した実施の形態において、第１−１面４Ａ及び第１−２面５Ａは、請求項の第１面に対応し、第２−１面４Ｂ及び第２−２面５Ｂは、請求項の第２面に対応し、第３−１面４Ｃ及び第３−２面５Ｃは、請求項の第３面に対応し、第４面４Ｄは、請求項の第４面に対応し、第５面４Ｅは、請求項の第６面に対応し、第６−１面４Ｆ及びぬ第６−２面５Ｆは、請求項の第８面に対応し、第７面５Ｄは、請求項の第７面に対応し、第８面５Ｅは、請求項の第５面に対応している。
【００５１】
上述のようにノイズフィルタ１に金属カバー１０を設け、かつノイズフィルタ１を回路基板へ実装するときのノズルの吸着面となる板状部材１０Ａを平面状としているので、ノズルの負圧吸引によりノイズフィルタ１を搬送するときの吸着信頼性を向上させることができ、吸着面の凹凸によるノイズフィルタ１の落下や吸着エラーやノズルによる第１、２磁性構造体の破壊を防止することができる。
【００５２】
更に金属カバー１０は、第１−１カバー片部１０Ｂ１、第１−２カバー片部１０Ｃ１、第２−１カバー片部１０Ｄ１及び第２−２カバー片部１０Ｅ１と、第３ａずれ防止片１０Ｂ２、第３ｂずれ防止片１０Ｃ２、第３ｃずれ防止片１０Ｄ２及び第３ｄずれ防止片１０Ｅ２とを有しているので、金属カバー１０と電子部品本体との接着剤による接着面積を増加させ、接着強度を向上させることができる。
【００５３】
また、第１、２、５、６角部θ１、θ２、θ５、θ６を９０°未満に構成することにより、第１−１カバー片部１０Ｂ１と第２−１カバー片部１０Ｄ１と第１−２カバー片部１０Ｃ１と第２−２カバー片部１０Ｅ１とを第１傾斜面４Ｂ１と図示せぬ第３傾斜面と第５傾斜面５Ｂ１と第７傾斜面５Ｃ１とへかしめることができるので、金属カバー１０を電子部品本体へ強固に固定することができる。
【００５４】
また、接着剤１１の金属カバー１０への接着強度か劣化したとしても、図４に示すように硬化した接着剤１１が各カバー片部と各傾斜面との間に介在しているので、金属カバー１０の図４の上方向への移動を接着剤１１が物理的に規制し、更に金属カバー１０は各ずれ防止片を備えているので、紙面に垂直方向の移動も規制される。また、接着剤１１の電子部品本体への接着強度か劣化したとしても、接着剤１１は、第１及び第２角部θ１、θ２と、各傾斜面とに沿って硬化しているので、電子部品本体に嵌合する形となり、電子部品本体から剥離しない。従って、接着剤１１が各カバー片部と各傾斜面との間に介在することとなるので、金属カバー１０の電子部品本体から離間する方向への移動を物理的に規制することができる。更に、板状部材１０Ａと各カバー片部との間にそれぞれ隙間１０ａを形成しているので、図１のように隙間１０ａに接着剤１１が流れ込み、硬化する。従って、接着剤１１の金属カバー１０への接着強度が劣化したとしても、金属カバー１０の電子部品本体からの離間に対して、接着剤１１がアンカーとして作用するので、金属カバー１０と電子部品本体とは離間しない。
【００５５】
以上のように、電子部品本体から金属カバー１０を剥がれにくくすることにより、ノイズフィルタ１をノズル等により回路基板へ実装する時の吸着信頼性を向上させることができる。更に、金属カバー１０の構造及び接着剤１１の物理的移動規制によって、接着強度の低い接着剤１１でも、その硬化温度がはんだの接合温度付近である限りは使用が可能であり、外部電極２Ａ及び基部３Ａ１、外部電極２Ｂ及び板部６Ａのはんだによる接合及び、電子部品本体と金属カバー１０との間の接着剤１１の硬化を、恒温槽において同時に行うことができる。
【００５６】
また、金属カバー１０に各ずれ防止片を設けているので、恒温槽内でのノイズフィルタ１の搬送中にコンベアの振動により電子部品本体から金属カバー１０がずれるのを防止することができる。また、電子部品本体は、各端子片部及び各ずれ防止片を備える端子６を有しているので、電子部品本体の組立工程中の取り扱いを容易にすることができる。更に、端子６を有することによって、チップ部品２が回路基板に直接接触することによる破壊を防止することができる。
【００５７】
次に、ノイズフィルタ１の製造方法について説明する。金属フレーム３の一方の貫通部３Ｂ及び外縁部３Ｃと、他方の貫通部３Ｂ及び外縁部３Ｃとに対応する箇所は、当初は、同一平面上に構成されている。まず、金属フレーム３の一方の貫通部３Ｂ及び外縁部３Ｃを第１磁性構造体４の第１貫通穴４ａに貫通させ、金属フレーム３の他方の貫通部３Ｂ及び外縁部３Ｃを第２磁性構造体５の第２貫通穴５ａに貫通させる。次に、各外縁部３Ｃを第１磁性構造体４及び第２磁性構造体５に沿うように図３に示されるように折り曲げる。
【００５８】
次に、金属フレーム３の基部３Ａ１の腕部３Ａ２側に、クリームはんだを塗布し、チップ部品２の外部電極２Ａを基部３Ａ１に当接させる。次に、チップ部品２の外部電極２Ｂにクリームはんだを塗布し、外部電極２Ｂに端子６の板部６Ａを当接させ、端子６の第１−１端子片部６Ｂ１と第２−１端子片部６Ｄ１とを第２傾斜面４Ｂ３及び第４傾斜面４Ｃ３へかしめ、第１−２端子片部６Ｃ１と第２−２端子片部６Ｅ１とを第６傾斜面５Ｂ３及び第８傾斜面５Ｃ３へかしめ、端子６を第１磁性構造体４及び第２磁性構造体５に固定させる。
【００５９】
次に、第１磁性構造体４の第１−１面４Ａ、第２磁性構造体５の第１−２面５Ａ及び金属フレーム３の基部３Ａ１のクリームはんだが塗布された側と反対側に、接着剤１１を塗布し、金属カバー１０を当接させる。次に、金属カバー１０の第１−１カバー片部１０Ｂ１と第２−１カバー片部１０Ｄ１とを第１傾斜面４Ｂ１及び図示せぬ第３傾斜面へかしめ、第１−２カバー片部１０Ｃ１と第２−２カバー片部１０Ｅ１とを第５傾斜面５Ｂ１及び第７傾斜面５Ｃ１へかしめ、金属カバー１０を電子部品本体に固定させる。
【００６０】
次に、外部電極２Ａと金属フレーム端子３の基部３Ａ１とのはんだによる接合、外部電極２Ｂと板部６Ａとのはんだによる接合及び、電子部品本体と金属カバー１０との間の接着剤１１の硬化を、恒温槽において同時に行い、ノイズフィルタ１は完成する。このように、はんだによる接合及び接着剤１１の硬化を同時に行うことによって、生産時間及び生産コストを減少させることができる。
【００６１】
本発明によるノイズフィルタ１は、上述した実施の形態に限定されず、特許請求の範囲に記載した範囲で種々の変形や改良が可能である。例えば、金属カバー１０は、金属製であったが樹脂製であっても良い。また、金属カバー１０の第ｄ１辺から延びるカバー片部を第１−１カバー片部１０Ｂ１と第１−２カバー片部１０Ｃ１とに分けて構成したが、一体として第ｄ１辺から、第１傾斜面４Ｂ１及び第５傾斜面５Ｂ１に対向するように設けても良い。この時、板状部材１０Ａと一体のカバー片部との間にスリットを形成すれば、隙間１０ａと同様に作用する。また、同様に第２−１カバー片部１０Ｄ１及び第２−２カバー片部１０Ｅ１も、一体に設けても良い。
【００６２】
また、金属カバー１０の各ずれ防止片は、各カバー片部から第５面４Ｅ及び第７面５Ｄに対向するよう延設したが、これに限定されず、板状部材１０Ａから各ずれ防止片と同様の効果を生じるように、第５面４Ｅ及び第７面５Ｄに対向するように設けても良い。また、各カバー片部から第４面４Ｄ及び第８面５Ｅに対向するよう延設してもよいし、板状部材１０Ａから各ずれ防止片と同様の効果を生じるように、第４面４Ｄ及び第８面５Ｅに対向するよう設けても良い。
【００６３】
また、端子６の第ｃ１辺から延びる各端子片部を第１−１端子片部６Ｂ１と第１−２端子片部６Ｃ１とに分けて構成したが、一体として第ｃ１辺から、第２傾斜面４Ｂ３及び第６傾斜面５Ｂ３に対向するように設けても良い。また、端子６の各ずれ防止片は、各端子片部から延設したが、これに限定されず、板部６Ａから各ずれ防止片と同様の効果を生じるように、第５面４Ｅ及び第７面５Ｄに対向するように設けても良い。
【００６４】
更に、電子部品はノイズフィルタに限定されず、コンデンサ、バリスタ、サーミスタでもよい。また、はんだによる接合及び接着剤１１の硬化を、恒温槽において行ったが、温度プロファイルが設定できるリフロー炉において行っても良い。
【図面の簡単な説明】
【００６５】
【図１】本発明による電子部品をノイズフィルタに適用した実施の形態の斜視図。
【図２】本発明による実施の形態のノイズフィルタの分解斜視図。
【図３】本発明による実施の形態のノイズフィルタを図１の斜視側と反対側から見た斜視図。
【図４】図１のノイズフィルタを第1磁性構造体側から見たときの正面図。
【符号の説明】
【００６６】
１    ノイズフィルタ
２    チップ部品
２Ｂ、２Ａ    外部電極
３    金属フレーム端子
４    第１磁性構造体
４Ａ    第１−１面
４Ｂ    第２−１面
４Ｃ    第３−１面
４Ｄ    第４面
４Ｅ    第５面
４Ｆ    第６−１面
５    第２磁性構造体
５Ａ    第１−２面
５Ｂ    第２−２面
５Ｃ    第３−２面
５Ｄ    第７面
５Ｅ    第８面
５Ｆ    第６−２面
６Ａ    板部
６    端子
６Ｂ１    第１−１端子片部
６Ｃ１    第１−２端子片部
６Ｄ１    第２−１端子片部
６Ｅ１    第２−２端子片部
６Ｂ２    第１ａずれ防止片
６Ｃ２    第１ｂずれ防止片
６Ｄ２    第２ａずれ防止片
６Ｅ２    第２ｂずれ防止片
１０Ｂ１    第１−１カバー片部
１０Ｃ１    第１−２カバー片部
１０Ｄ１    第２−１カバー片部
１０Ｅ１    第２−２カバー片部
１０Ａ    板状部材
１０    金属カバー
１０Ｂ２    第３ａずれ防止片
１０Ｃ２    第３ｂずれ防止片
１０Ｄ２    第３ｃずれ防止片
１０Ｅ２    第３ｄずれ防止片
１０ａ    隙間
１１    接着剤
ａ１    第ａ１辺
ａ２    第ａ２辺
ａ３    第ａ３辺
ｂ１    第ｂ１辺
ｂ２    第ｂ２辺
ｂ３    第ｂ３辺
ｃ１    第ｃ１辺
ｃ２    第ｃ２辺
ｄ１    第ｄ１辺
ｄ２    第ｄ２辺
第１θ１    第１角部
第２θ２    第２角部
第３θ３    第３角部
第４θ４    第４角部
第５θ５    第５角部
第６θ６    第６角部
第７θ７    第７角部
第８θ８    第８角部
【図１】
2005294641.tif 000003
【図２】
2005294641.tif 000004
【図３】
2005294641.tif 000005
【図４】
2005294641.tif 000006